(57)【要約】【課題】  外観上の体裁が良好でキャビネットにスタンドを確実に連結すること。【解決手段】  キャビネット２のネック連結部１０とスタンド３のネック部３Ｂとを連結する連結機構１１が、ネック連結部１０に止着されたロック枠１２と、ネック部３Ｂに止着されたロック板１３とからなり、該ロック板１３が四角形に形成されると共に、該ロック板１３の対角線上で対向する両コーナ部が円形コーナ部１４とされ、該両円形コーナ部１４の外周縁を側方に所定間隔ｔだけ突出させて突出部１４ａが形成され、前記ロック枠１２が、ロック板１３に当接される基板１６と、該基板１６の両側縁から直角に折り曲げた一対の側板１７とを有し、該両側板１７にロック孔１８が貫設されており、ロック板１３を基板１６に当接させ、該ロック板１３を時計方向に回転させることにより、各突出部１４ａを各ロック孔１８に嵌入させる。【選択図】        図４
2011059383.tif 000002
【特許請求の範囲】
【請求項１】
薄型表示部を収納するキャビネットがスタンドにより支持された薄型表示装置において
、前記スタンドが、台座部と、該台座部の上面中央に一体突設したネック部とからなり、
該ネック部がキャビネットの下面中央のネック連結部に連結機構を介して連結されており
、該連結機構が、ネック連結部及びネック部のうち、その一方に止着されるロック枠と、
その他方に止着されるロック板とからなり、前記ロック板が四角形に形成されると共に、
該ロック板の対角線上で対向する両コーナ部を所定の曲率半径で円形に切除することによ
り円形コーナ部が形成され、該両円形コーナ部の外周縁をロック板の互いに対向する両側
縁よりも側方に所定間隔だけ突出させて突出部が形成され、前記ロック枠が、ロック板に
当接される基板と、該基板の両側縁から直角に折り曲げた一対の側板とを有し、該両側板
にロック孔が貫設されており、ロック枠の基板とロック板とを互いに当接させ、そのロッ
ク枠とロック板とを相対的に回転させることにより各突出部を各ロック孔に嵌入させるよ
うにしたことを特徴とする薄型表示装置。
【請求項２】
前記ロック枠の基板にスリットを形成して切り出した弾性変位可能な弾性片の先端を折
り曲げて逆転防止部が設けられており、ロック板の各突出部を各ロック孔に嵌入させたと
きに、該ロック板の側縁に逆転防止部を接近して対向させるようにしたことを特徴とする
請求項１に記載の薄型表示装置。
【請求項３】
連結機構によりスタンドとキャビネットとを連結した状態で該スタンドのネック部を覆
うネックカバーを有することを特徴とする請求項１または２に記載の薄型表示装置。
【発明の詳細な説明】
【技術分野】
【０００１】
本発明は、例えば液晶テレビなどの薄型表示装置に関し、特に、スタンドの取付作業を
迅速容易に行なうことができるようにしたものである。
【背景技術】
【０００２】
従来、薄型表示装置の一例として特許文献１に記載したものがある。これは、図６（ａ
）に示す斜視図及び図６（ｂ）に示す要部の拡大平面図に示すように、液晶モジュ−ル（
薄型表示部）１が合成樹脂製キャビネット２内に収納され、該キャビネット２を支持する
ためのスタンド３が、台座部３Ａと、ネック部３Ｂとからなり、その台座部３Ａの中央に
は略Ｘ字状に交差する第１、第２の長孔４，５が貫設され、前記ネック部３Ｂが、起立部
６と、該起立部６の両端部外周面下端に一体突設されて所定間隔の間隙をおいて対向する
上下一対の突起部７，８とを有している。
【０００３】
スタンド３の取付手順を説明すると、ネック部３Ｂの起立部６をキャビネット２の下面
中央に止着し、台座部３Ａを把持して第１長孔４を起立部６に嵌合させ〔図６（ｂ）仮想
線参照〕、該台座部３Ａを回転させることにより、第２長孔５を起立部６に嵌合させ〔図
６（ｂ）実線参照〕、その第２長孔５の周縁部を上下両突起部７，８間に嵌入させ、ネッ
ク部３Ｂに台座部３Ａを係止する。
【先行技術文献】
【特許文献】
【０００４】
【特許文献１】特開２００９−３１４８１号公報
【発明の概要】
【発明が解決しようとする課題】
【０００５】
上記従来の構成では、キャビネット２の重量を各突起部７，８と台座部３Ａとの当接部
分で支えており、その当接部分の面積が小さいから、両手でキャビネット２を把持して持
ち運んだりその向きを変えるときに過大な負荷が発生し、その過大な負荷が各突起部７，
８に集中的にかかって、その各突起部７，８が損傷されるおそれがあり、これでは、キャ
ビネット２をスタンド３で確実に支えることができなくなる。また、第１長孔４が露出し
ており、外観上の体裁が悪い。
【０００６】
本発明は、上記従来の欠点に鑑み、外観上の体裁が良好でキャビネットにスタンドを確
実に連結することができるようにした薄型表示装置を提供することを目的としている。
【課題を解決するための手段】
【０００７】
上記目的を達成するため、請求項１に記載の発明は、薄型表示部を収納するキャビネッ
トがスタンドにより支持された薄型表示装置において、前記スタンドが、台座部と、該台
座部の上面中央に一体突設したネック部とからなり、該ネック部がキャビネットの下面中
央のネック連結部に連結機構を介して連結されており、該連結機構が、ネック連結部及び
ネック部のうち、その一方に止着されるロック枠と、その他方に止着されるロック板とか
らなり、前記ロック板が四角形に形成されると共に、該ロック板の対角線上で対向する両
コーナ部を所定の曲率半径で円形に切除することにより円形コーナ部が形成され、該両円
形コーナ部の外周縁をロック板の互いに対向する両側縁よりも側方に所定間隔だけ突出さ
せて突出部が形成され、前記ロック枠が、ロック板に当接される基板と、該基板の両側縁
から直角に折り曲げた一対の側板とを有し、該両側板にロック孔が貫設されており、ロッ
ク枠の基板とロック板とを互いに当接させ、そのロック枠とロック板とを相対的に回転さ
せることにより各突出部を各ロック孔に嵌入させるようにしたことを特徴としている。
【０００８】
請求項２に記載の発明は、請求項１に記載の発明において、前記ロック枠の基板にスリ
ットを形成して切り出した弾性変位可能な弾性片の先端を折り曲げて逆転防止部が設けら
れており、ロック板の各突出部を各ロック孔に嵌入させたときに、該ロック板の側縁に逆
転防止部を接近して対向させるようにしたことを特徴としている。
【０００９】
請求項３に記載の発明は、請求項１または２に記載の発明において、連結機構によりス
タンドとキャビネットとを連結した状態で該スタンドのネック部を覆うネックカバーを有
することを特徴としている。
【発明の効果】
【００１０】
請求項１に記載の発明によれば、スタンドの台座部を把持してロック枠の基端部とロッ
ク板とを互いに当接させ、該台座部を右方向または左方向に回転させるだけで、ロック板
の各突出部が各ロック孔に嵌入されて、そのロック板をロック枠にロックし、スタンドを
キャビネットに簡単に連結することができる。
【００１１】
その連結状態では、ロック枠の基端部とロック板とが互いに当接されており、その当接
部分の面積が大きいから、両手でキャビネットを把持して持ち運んだりその向きを変える
ときに過大な負荷が発生しても、その過大な負荷がロック枠の基端部とロック板との大面
積の当接部分に分散してかかる。従って、その当接部分が過大負荷により損傷されるおそ
れがなく、キャビネットをスタンドで確実に支えることができる。
【００１２】
請求項２に記載の発明によれば、ロック板の各突出部を各ロック孔に嵌入させたロック
状態から該ロック板が逆転されるのを逆転防止部で阻止しているので、そのロック状態を
確実に維持することができる。
【００１３】
請求項３に記載の発明によれば、スタンドのネック部及び連結機構がネックカバーで隠
されているので外観上の体裁を良好に維持することができる。
【図面の簡単な説明】
【００１４】
【図１】本発明の実施の一形態である薄型表示装置の斜視図である。
【図２】同要部の一部切欠き側面図である。
【図３】（ａ）はＡ−Ａ矢視図、（ｂ）はＢ−Ｂ矢視図、（ｃ）はＣ−Ｃ矢視図である。
【図４】図４は同要部の分解斜視図である。
【図５】（ａ）〜（ｃ）はスタンドの取付手順を説明する工程図である。
【図６】（ａ）は従来例の斜視図、（ｂ）は同要部の拡大平面図である。
【発明を実施するための形態】
【００１５】
図１〜図５は本発明の実施の一形態である薄型表示装置を示すものであり、これは液晶
テレビであって、キャビネット２を支持するスタンド３が台座部３Ａと、該台座部３Ａの
上面中央に一体突設したネック部３Ｂとからなり、該ネック部３Ｂがキャビネット２の下
面中央のネック連結部１０に連結機構１１を介して連結されている。上記以外の構成で図
６に示す従来例と同一部分に同一符号を付してその説明を省略する。
【００１６】
図２〜図４に示すように、前記連結機構１１は、ネック連結部１０の下面にビスなどで
止着された金属製ロック枠１２と、ネック部３Ｂの上面にビスなどで止着された金属製ロ
ック板１３とからなり、該ロック板１３は、四角形に形成され、互いに対向する両横側縁
１３ａ，１３ｂ間の縦幅ｈ１と互いに対向する両縦側縁１３ｃ，１３ｄ間の横幅ｈ２とが
同一に設定され、ロック板１３の対角線上に対向する両コーナ部を所定の曲率半径ｒで円
形に切除することにより円形コーナ部１４が形成され、該両円形コーナ部１４の外周縁を
各横側縁１３ａ，１３ｂよりも側方に所定間隔ｔだけ突出させて突出部１４ａが形成され
、ロック板１３の残りの２つのコーナ部が角形コーナ部１５とされている。
【００１７】
図２〜図４に示すように、前記ロック枠１２は、ロック板１３に当接される基板１６と
、該基板１６の両側縁から直角に折り曲げた一対の側板１７とを有し、該両側板１７に突
出部１４ａを嵌入させるためのロック孔１８が貫設されている。
【００１８】
前記基板１６の縦幅ｈ３がロック板１３の縦幅ｈ１（及び横幅ｈ２）と同一またはわず
かに大きく設定されると共に、該基板１６の横幅ｈ４がロック板１３の縦幅ｈ１（及び横
幅ｈ２）よりも大きく設定され、その基板１６の両側部に略コ字状のスリット１９を形成
することにより弾性変位可能な一対の弾性片２０が切り出されると共に、該各弾性片２０
の先端を半円形状に折り曲げて逆転防止部２０ａが設けられており、図３（ａ）に示すよ
うに、ロック板１３の各突出部１４ａを各ロック孔１８に嵌入させたときに、該ロック板
１３の縦側縁１３ｃ，１３ｄに逆転防止部２０ａを接近して対向させるようになっている
〔図３（ｂ）（ｃ）実線参照〕。
【００１９】
スタンド３の取付手順を説明すると、図５（ａ）に示すように、キャビネット２を水平
にし、スタンド３の台座部３Ａを把持して、ロック板１３の縦側縁１３ｃ，１３ｄをロッ
ク枠１２の両側板１７に対向させた状態で該ロック板１３をロック枠１２の基板１６に当
接させる。
【００２０】
続いて、図５（ｂ）に示すように、スタンド３の台座部３Ａを時計方向に回転させ、ロ
ック板１３により各逆転防止部２０ａを押し下げて〔図３（ｂ）（ｃ）仮想線参照〕、そ
の台座部３Ａを９０°回転させる。
【００２１】
その結果、図５（ｃ）に示すように、ロック板１３の各突出部１４ａが各ロック孔１８
に嵌入され、各角形コーナ部１５が側板１７に当たってロック板１３の時計方向への回転
が阻止されると共に、各逆転防止部２０ａによりロック板１３の反時計方向への回転が阻
止され〔図３（ｂ）（ｃ）実線参照〕、スタンド３が連結機構１１を介してキャビネット
２に連結される。
【００２２】
連結機構１１による連結を解除する場合には、各逆転防止部２０ａを押し下げ〔図３（
ｂ）（ｃ）仮想線参照〕、スタンド３の台座部３Ａを反時計方向に回転させる。
【００２３】
上記構成によれば、スタンド３の台座部３Ａを把持してロック板１３をロック枠１２の
基板１６に当接させ、該台座部３Ａを時計方向に回転させるだけで、ロック板１３の各突
出部１４ａが各ロック孔１８に嵌入されて、そのロック板１３をロック枠１２にロックし
、スタンド３をキャビネット２に簡単に連結することができる。
【００２４】
その連結状態では、ロック枠１２の基板１６とロック板１３とが互いに当接されており
、その当接部分の面積が大きいから、両手でキャビネット２を把持して持ち運んだりその
向きを変えるときに過大な負荷が発生しても、その発生する過大な負荷がロック枠１２の
基板１６とロック板１３との大面積の当接部分に分散してかかる。従って、その当接部分
が過大負荷により損傷されるおそれがなく、キャビネット２をスタンド３で確実に支える
ことができる。
【００２５】
また、ロック板１３の各突出部１４ａを各ロック孔１８に嵌入させたロック状態から該
ロック板１３が逆転されるのを逆転防止部２０ａで阻止しているので、そのロック状態を
確実に維持することができる。
【００２６】
図２及び図３に示すように、連結機構１１によりスタンド３とキャビネット２とを連結
した状態で該スタンド３のネック部３Ｂを覆う合成樹脂製ネックカバー２２が設けられて
おり、該ネックカバー２２は、角筒状であって、両端部を互いに係脱可能に係合させた一
対の略コ字状枠体２２ａからなっている。
【００２７】
上記構成によれば、ネックカバー２２によりスタンド３のネック部３Ｂ及び連結機構１
１が隠されているので、外観上の体裁を良好に維持することができる。
【産業上の利用可能性】
【００２８】
上記構成によれば、ロック枠１２をキャビネット２のネック連結部１０に止着すると共
に、ロック板１３をスタンド３のネック部３Ｂの上面に止着したが、これに限定されるわ
けではなく、その逆に、ロック枠１２をスタンド３のネック部３Ｂの上面に止着すると共
に、ロック板１３をキャビネット２のネック連結部１０に止着するようにしてもよい。
【符号の説明】
【００２９】
１          液晶モジュ−ル（薄型表示部）
２          キャビネット
３          スタンド
３Ａ        スタンドの台座部
３Ｂ        スタンドのネック部
１０        ネック連結部
１１        連結機構
１２        ロック枠
１３        ロック板
１４        円形コーナ部
１４ａ      円形コーナ部の突出部
１６        ロック枠の基板
１７        ロック枠の側板
１８        ロック孔
１９        スリット
２０        弾性片
２０ａ      逆転防止部
２２        ネックカバー
【図１】
2011059383.tif 000003
【図２】
2011059383.tif 000004
【図３】
2011059383.tif 000005
【図４】
2011059383.tif 000006
【図５】
2011059383.tif 000007
【図６】
2011059383.tif 000008